(57)【要約】  本願開示の実施形態は、ユーザ機器（ＵＥ）‐ＵＥ間中継を用いた公的安全検出及び通信のための装置を記載する。様々な実施形態は、装置が、デバイス‐デバイス間（Ｄ２Ｄ）通信を用いて通信可能なＵＥのリストを決定すると共に、上記装置が、該リストの少なくとも一部に基づいて中継の役割を果たすことができることを示す通知メッセージを生成する命令を実行するための処理回路を含むものとしてもよい。他の実施形態が、記載及び／または請求されるものとしてもよい。
2018507574.tif 000002
【特許請求の範囲】
【請求項１】
命令を有する１つまたは複数の記憶媒体、及び、
装置が、デバイス‐デバイス間（Ｄ２Ｄ）通信を用いて通信可能なユーザ機器（ＵＥ）のリストを決定し、
前記装置が、該リストの少なくとも一部に基づいて中継の役割を果たすことができることを示す通知メッセージを生成し、
該通知メッセージの少なくとも一部に基づいて信号を生成すると共に、該信号を送信するための送受信機回路を制御する
命令を実行するための、１つまたは複数の記憶媒体に接続された処理回路
を備える、無線通信のための装置。
【請求項２】
前記通知メッセージは、Ｄ２Ｄ通信の範囲内にあるＵＥのリストを含む、請求項１に記載の装置。
【請求項３】
前記通知メッセージは、レイヤ２の識別子、及び、前記リスト内の個別のＵＥと関連付けられたユーザ情報パラメータを含む、請求項２に記載の装置。
【請求項４】
前記処理回路は更に、ＵＥの前記リスト内のＵＥから受信されたフレームの少なくとも一部に基づき、中継フレームを生成する、請求項２または３に記載の装置。
【請求項５】
前記ＵＥから受信された前記フレームは、送信元レイヤ２ＩＤフィールド、送信先レイヤ２ＩＤフィールド、中継レイヤ２ＩＤフィールド、及び、「中継へ」に設定された方向フィールドを含む、請求項４に記載の装置。
【請求項６】
前記中継フレームは、送信元レイヤ２ＩＤフィールド、送信先レイヤ２ＩＤフィールド、中継レイヤ２ＩＤフィールド、及び、「中継から」に設定された方向フィールドを含む、請求項４に記載の装置。
【請求項７】
命令を有する１つまたは複数の記憶媒体、並びに、
ＵＥが、デバイス‐デバイス間（Ｄ２Ｄ）通信を用いて通信可能な他のＵＥのリストを決定し、
ＵＥ‐ＵＥ間中継検出に設定された検出タイプパラメータ、及び、前記ＵＥが、Ｄ２Ｄ通信を用いて通信可能な別のＵＥに対応するパラメータを有するメッセージを生成し、
該メッセージの少なくとも一部に基づいて信号を生成すると共に、該信号を送信するための送受信機回路を制御する
命令を実行するための、１つまたは複数の記憶媒体に接続された処理回路
を備える、ユーザ機器（ＵＥ）。
【請求項８】
前記メッセージは通知メッセージである、請求項７に記載のＵＥ。
【請求項９】
前記メッセージは、前記ＵＥがＤ２Ｄ通信を用いて通信可能な他のＵＥの１つである送信側ＵＥから受信された勧誘メッセージに応答して生成された応答メッセージである、請求項７に記載のＵＥ。
【請求項１０】
前記応答メッセージは、リモートユーザ情報パラメータを含む、請求項９に記載のＵＥ。
【請求項１１】
前記応答メッセージは、前記リモートユーザ情報パラメータと関連付けられた遠隔ＵＥレイヤ２識別子を含む、請求項１０に記載のＵＥ。
【請求項１２】
前記遠隔ＵＥレイヤ２識別子は、前記ＵＥがＤ２Ｄ通信を用いて通信可能な他のＵＥの前記リスト内のＵＥと関連付けられると共に、前記応答メッセージもまた、前記ＵＥのレイヤ２識別子を含む、請求項１１に記載のＵＥ。
【請求項１３】
前記処理回路は更に、送信側ＵＥから受信されたフレームの少なくとも一部に基づき、中継フレームを生成し、前記送信側ＵＥは、前記ＵＥがＤ２Ｄ通信を用いて通信可能な他のＵＥの前記リスト内にある、請求項７〜１２のうち、何れか一項に記載のＵＥ。
【請求項１４】
ユーザ機器（ＵＥ）の１つまたは複数のプロセッサによる命令の実行に応答して、前記ＵＥに、
前記ＵＥがデバイス‐デバイス間（Ｄ２Ｄ）通信を用いて通信可能な少なくとも１つの他のＵＥを検出するためのグループメンバ検出を実行させ、
遠隔ＵＥとの通信のための潜在的な中継ＵＥを検出させ、前記潜在的な中継ＵＥは、少なくとも１つの他のＵＥのうちの１つである、
その上に格納された命令を備える、少なくとも１つのコンピュータ読み取り可能な媒体。
【請求項１５】
前記ＵＥは、前記潜在的な中継ＵＥからの通知メッセージの少なくとも一部の受信に基づき、前記潜在的な中継ＵＥを検出させられる、請求項１４に記載の少なくとも１つのコンピュータ読み取り可能な媒体。
【請求項１６】
前記通知メッセージは、前記潜在的な中継ＵＥに対応する識別子、及びリモートユーザ情報パラメータを含む、請求項１５に記載の少なくとも１つのコンピュータ読み取り可能な媒体。
【請求項１７】
前記ＵＥは更に、勧誘メッセージを送信させられると共に、前記ＵＥは、前記潜在的な中継ＵＥからの前記勧誘メッセージへの応答の少なくとも一部の受信に基づき、前記潜在的な中継ＵＥを検出させられる、請求項１４に記載の少なくとも１つのコンピュータ読み取り可能な媒体。
【請求項１８】
前記勧誘メッセージは、前記ＵＥに対応する識別子、及びリモートユーザ情報パラメータを含む、請求項１７に記載の少なくとも１つのコンピュータ読み取り可能な媒体。
【請求項１９】
前記勧誘メッセージは、複数のリモートユーザ情報パラメータを含む、請求項１８に記載の少なくとも１つのコンピュータ読み取り可能な媒体。
【請求項２０】
前記勧誘メッセージは、ＵＥ‐ＵＥ間中継検出に設定された検出タイプパラメータを含む、請求項１７〜１９のうち、何れか一項に記載の少なくとも１つのコンピュータ読み取り可能な媒体。
【請求項２１】
前記ＵＥは更に、デバイス‐デバイス間のＭＡＣフレームを前記潜在的な中継ＵＥへ送信し、前記ＭＡＣフレームは、「中継へ」に設定された方向フィールドを有するヘッダを含む、請求項１４〜１９のうち、何れか一項に記載の少なくとも１つのコンピュータ読み取り可能な媒体。
【請求項２２】
ユーザ機器（ＵＥ）の１つまたは複数のプロセッサによる命令の実行に応答して、前記ＵＥに、
前記ＵＥがデバイス‐デバイス間（Ｄ２Ｄ）通信を用いて通信可能な複数の他のＵＥを検出するためのグループメンバ検出を実行させ、
送信側ＵＥ及び遠隔ＵＥ間の通信のための中継ＵＥとして動作させ、前記送信側ＵＥ及び前記遠隔ＵＥは、検出された複数の他のＵＥの一部である、
その上に格納された命令を有する、少なくとも１つのコンピュータ読み取り可能な媒体。
【請求項２３】
前記ＵＥは、レイヤ２の転送処理を実行することにより、中継ＵＥとして動作する、請求項２２に記載の少なくとも１つのコンピュータ読み取り可能な媒体。
【請求項２４】
前記ＵＥは更に、ＵＥ‐ＵＥ間中継検出に設定された検出タイプパラメータを含む通知メッセージを送信させられ、前記ＵＥは、ＭＡＣフレームが中継に送信されていることを示す方向パラメータを含む、前記送信側ＵＥからの拡張ＭＡＣヘッダの受信を以って、前記通知メッセージの送信後に、中継ＵＥとして動作する、請求項２２または２３に記載の少なくとも１つのコンピュータ読み取り可能な媒体。
【請求項２５】
前記ＵＥは更に、検出された複数の他のＵＥの１つと関連付けられたユーザに対応するリモートユーザ情報パラメータを含む、別のＵＥからの勧誘メッセージの受信に応答して、応答メッセージを送信させられ、前記ＵＥは、ＭＡＣフレームが中継に送信されていることを示す方向パラメータを含む、前記送信側ＵＥからの拡張ＭＡＣヘッダの受信を以って、前記応答メッセージの送信後に、中継ＵＥとして動作する、請求項２２または２３に記載の少なくとも１つのコンピュータ読み取り可能な媒体。
【発明の詳細な説明】
【技術分野】
【０００１】
［関連出願の相互参照］
本願は、「ＵＥ‐ＵＥ間中継を用いた公的安全検出及び通信」の名称を付されて２０１５年１月１５日に出願された米国仮特許出願第６２／１０３７５４号に対して、優先権を主張する、「ＵＥ‐ＵＥ間中継を用いた公的安全検出及び通信」の名称を付されて２０１５年７月２９日に出願された米国特許出願第１４／８１２８３３号に対して、優先権を主張する。これにより、その全ての開示内容は、本明細書の記載と整合しない箇所がある場合にその箇所を除く全体に渡り、あらゆる目的のために参照により本明細書に組み込まれている。
【０００２】
本願開示の実施形態は、主として、無線通信の分野に関し、より具体的には、公的安全デバイス‐デバイス（Ｄ２Ｄ）間機能を可能とする装置及び方法に関する。
【背景技術】
【０００３】
本明細書に記載された背景技術は、開示技術の背景を大まかに示すものである。本明細書において別段の指示がない限り、本項目に記載された内容は、本願の請求範囲に対する従来技術とはならず、また、本項目に含まれることを以って、従来技術の自認または従来技術の示唆となるものではない。
【０００４】
Ｄ２Ｄアプリケーションは、近接ピアを接続するための、拡張可能かつ普遍的な枠組みを提供することができる。Ｄ２Ｄアプリケーションには、例えば、ＷｉＦｉダイレクトまたは近距離無線通信（ＮＦＣ）技術に基づく、異なる技術的解決手段が存在する。第３世代パートナーシップ・プロジェクト（３ＧＰＰ）に関するＤ２Ｄ機能もまた、近接サービス（ＰｒｏＳｅ）またはロング・ターム・エボリューション（ＬＴＥ）ダイレクトにより、提供することができる。幾つかの状況においては、例えば、公的安全ユーザ等のグループメンバが、ユーザ機器（ＵＥ  Ｕｓｅｒ  Ｅｑｕｉｐｍｅｎｔ）からＵＥへ、Ｄ２Ｄの手法により直接通信することが望ましいことがある。しかしながら、送信側のＵＥが、常に、受信側のＵＥの通信範囲内に存在するとは限らない。
【０００５】
実施形態は、添付図面と併せて、以下の詳細な説明により、容易に理解されるであろう。この説明を容易にするために、同様の構成要素には、同様の参照数字を付すものとする。実施形態は、実施例を用いて示されるが、添付図面の形態には限定されない。
【図面の簡単な説明】
【０００６】
【図１】図１は、様々な実施形態に係る無線通信システムを概略的に例示する。
【図２】図２は、様々な実施形態に係る進化型ノードＢ（ｅＮＢ）及びＵＥの構成要素を例示する概略ブロック図である。
【図３】図３は、様々な実施形態に係るモデルＡ（通知／監視）を用いたＵＥ‐ＵＥ間中継検出処理及び通信処理の一例を示す図である。
【図４】図４は、様々な実施形態に係るモデルＢ（検出者／被検出者）を用いたＵＥ‐ＵＥ間中継検出処理及び通信処理の一例を示す図である。
【図５】図５は、本明細書に記載された様々な実施形態を実施するために使用可能な演算デバイスの一例を示すブロック図である。
【図６】図６は、様々な実施形態に係る、本願開示の側面を具現化する、プログラム命令を有する製品を例示する。
【発明を実施するための形態】
【０００７】
以下の詳細な説明においては、その一部を構成すると共に、全体を通して同様の部分には同様の数字が付され、実施可能な実施形態を例示により示す、添付図面が参照される。本願開示の範囲を逸脱することなく、他の実施形態が利用及び構成可能であること、または、論理的な変更が可能であることが、理解されるべきである。
【０００８】
様々な動作が、クレームされた主題の理解に最も役立つ方法により、複数の個別の働きまたは動作として順に、記載されるものとしてもよい。しかしながら、その記載の順序は、これらの動作が必ずその順序に従うことを意味するものとして、解釈されるべきではない。特に、これらの動作は、提示された順序により、実行されなくてもよい。記載された動作は、記載された実施形態とは異なる順序により、実行されるものとしてもよい。様々な追加の動作が、実行されてもよいし、及び／または、記載された動作が、追加の実施形態において省略されるものとしてもよい。
【０００９】
本願開示の目的のために、「Ａ及び／またはＢ」の語句は、（Ａ）、（Ｂ）、または、（Ａ及びＢ）を意味する。本願開示の目的のために、「Ａ、Ｂ、及び／またはＣ」の語句は、（Ａ）、（Ｂ）、（Ｃ）、（Ａ及びＢ）、（Ａ及びＣ）、（Ｂ及びＣ）、または（Ａ、Ｂ、及びＣ）を意味する。説明においては、「１つの実施形態において」、または「実施形態において」の語句を、同一のまたは異なる実施形態のうち１つまたは複数に各々言及する場合に、用いることがある。更に、本願開示の実施形態について使用される「備える」、「含む」、「有する」等の用語は、同義である。
【００１０】
本明細書において使用される「回路」の用語は、１つまたは複数のソフトウェア若しくはファームウェアのプログラムを実行するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、（共用型、専用型、若しくはグループ型）プロセッサ、及び／または（共用型、専用型、若しくはグループ型）メモリ、組合せ論理回路、並びに／あるいは、記載された機能を提供する他の適切なハードウェア構成要素の一部または含むものとして、言及することがある。
【００１１】
図１は、様々な実施形態に係る、本願開示の教示するＵＥ‐ＵＥ間中継を用いた公的安全検出及び通信を具現化する無線通信システム１００を概略的に例示する。無線通信システム１００は、基幹ネットワーク１１０、セルラー移動ネットワーク１２０、及びＤ２Ｄネットワーク１３０を含むものとしてもよい。Ｄ２Ｄネットワーク１３０は、セルラー移動ネットワーク１２０を用いて通信することも可能なＵＥ１３２、１３４、及び１３６を含むものとしてもよい。
【００１２】
基幹ネットワーク１１０は、様々なサブネットワークと相互接続すると共に、これらのサブネットワーク間において情報を交換するための経路を提供するコンピュータネットワーク基盤（インフラ）の一部であってもよい。様々な実施形態において、基幹ネットワーク１１０は、戦略的に相互接続された大規模なコンピュータネットワーク、及びインターネット上のコアルータ間に、主要なデータ経路を有することの可能なインターネット基幹１１２を備えるものとしてもよい。
【００１３】
セルラー移動ネットワーク１２０は、基幹ネットワーク１１０と、データ通信を行うものとしてもよい。様々な実施形態において、セルラー移動ネットワーク１２０は、例えば、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＨＳＰＡ（Ｈｉｇｈ  Ｓｐｅｅｄ  Ｐａｃｋｅｔ  Ａｃｃｅｓｓ）、Ｅ−ＨＳＰＡ（Ｅｖｏｌｖｅｄ  ＨＳＰＡ）、またはＬＴＥ（Ｌｏｎｇ  Ｔｅｒｍ  Ｅｖｏｌｕｔｉｏｎ）のネットワーク等の、１つまたは複数の無線アクセスネットワークを含むものとしてもよい。幾つかの実施形態においては、無線アクセスネットワークは、ＥＤＧＥ（ＧＳＭ（登録商標）  Ｅｎｈａｎｃｅｄ  Ｄａｔａ  ｒａｔｅｓ  ｆｏｒ  ＧＳＭ（登録商標）  Ｅｖｏｌｕｔｉｏｎ）、ＧＥＲＡＮ（Ｒａｄｉｏ  Ａｃｃｅｓｓ  Ｎｅｔｗｏｒｋ）、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、またはＥ−ＵＴＲＡＮ（Ｅｖｏｌｖｅｄ  ＵＴＲＡＮ）を含むものとしてもよい。セルラー移動ネットワーク１２０は、他の実施形態における他のネットワーク技術に従って、動作するものとしてもよい。
【００１４】
移動通信技術は、基地局及び無線通信デバイス間においてデータを送信するための様々な規格及びプロトコルに依存するものとしてもよい。無線通信システムの規格及びプロトコルは、例えば、３ＧＰＰＬＴＥ、すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）として業界団体に広く知られているＩＥＥＥ（Ｉｎｓｔｉｔｕｔｅ  ｏｆ  Ｅｌｅcｔｒｉｃａｌ  ａｎｄ  Ｅｌｅｃｔｒｏｎｉｃｓ  Ｅｎｇｉｎｅｅｒｓ  米国電気電子技術協会）８０２．１６規格、及び、Ｗｉ−Ｆｉとして業界団体に広く知られているＩＥＥＥ８０２．１１規格を含むものとしてもよい。３ＧＰＰＲＡＮ（Ｒａｄｉｏ  Ａｃｃｅｓｓ  Ｎｅｔｗｏｒｋ）においては、ＬＴＥに従い、基地局は、（ｅＮｏｄｅＢまたはｅＮＢとしても一般に知られる）進化型ノードＢと称されることもある。基地局は、ユーザ機器（ＵＥ）として知られる無線通信デバイスと通信するものとしてもよい。本願開示は、専門用語を用いて説明され、また、実施例は、主として３ＧＰＰシステム及び規格に向けられているが、本明細書に開示された教示内容は、如何なるタイプの無線ネットワークまたは通信規格に対しても、適用可能である。
【００１５】
様々な実施形態において、セルラー移動ネットワーク１２０は、ｅＮＢ１２４、ＲＮＣ（Ｒａｄｉｏ  Ｎｅｔｗｏｒｋ  Ｃｏｎｔｒｏｌｌｅｒ）及び旧ノードＢ（ＮＢ）１２６、ＭＭＥ（Ｍｏｂｉｌｉｔｙ  Ｍａｎａｇｅｍｅｎｔ  Ｅｎｔｉｔｙ）及びＳＧＷ（Ｓｅｒｖｉｎｇ  ＧａｔｅＷａｙ）１２２、並びに、ＳＧＳＮ（Ｓｅｒｖｉｎｇ  ＧＰＲＳ  Ｓｕｐｐｏｒｔ  Ｎｏｄｅ）１２８を含むものとしてもよい。ｅＮＢ１２４は、例えば、ＵＭＴＳネットワーク等の３Ｇネットワークにおいて使用可能な旧ＮＢ１２６よりも、多くの機能を含むものとしてもよい。例えば、ＲＮＣの機能は、独立したＲＮＣエンティティ内に存在するのではなく、ｅＮＢ１２４内に配置されるものとしてもよい。ＬＴＥにおいては、ｅＮＢ１２４は、ｅＮＢが情報を転送または共有することを可能とするＸ２インタフェースを用いて、別のｅＮＢに接続するものとしてもよい。幾つかの実施形態においては、セルラー移動ネットワーク１２０は、ＩＰ（Ｉｎｔｅｒｎｅｔ  Ｐｒｏｔｏｃｏｌ）ベースのネットワークであってもよい。このとき、ネットワークエンティティ（例えば、ｅＮＢ１２４及びＭＭＥ／ＳＧＷ１２２）間のインタフェースは、ＩＰに基づくものであってもよい。幾つかの実施形態においては、ＭＭＥ／ＳＧＷ１２２は、ＳＩインタフェース上で、ｅＮＢ１２４と通信を行うものとしてもよい。ＳＩインタフェースは、３ＧＰＰＴＳ（Ｔｅｃｈｎｉｃａｌ  Ｓｐｅｃｉｆｉｃａｔｉｏｎ）３６．４１０Ｖ１１．１．０（２０１３−０９）において規定される様なＳＩインタフェースと同様のものであってもよく、また、ＭＭＥ／ＳＧＷ１２２及びｅＮＢ１２４間の多対多関係をサポートするものであってもよい。例えば、異なるオペレータが、ネットワーク共有環境において、同一のｅＮＢを同時に動作させるものとしてもよい。幾つかの実施形態においては、ｅＮＢ１２４及びＵＥ間の通信は、ＭＭＥ／ＳＧＷ１２２を介して、促進されるものとしてもよい。ＭＭＥ／ＳＧＷ１２２は、例えば、ＵＥ１３２等のＵＥの認証といった信号交換を管理する様に、または、通信リンクの確立に関する他の動作を実行してセルラー移動ネットワーク１２０とのＵＥ１３２の接続モードを確立する様に、構成されるものとしてもよい。幾つかの実施形態においては、ＭＭＥ／ＳＧＷ１２２は、例えば、ＵＥ１３２がアイドルモードにある場合に、ユーザ機器を追跡及びページングする役割を担うものとしてもよい。
【００１６】
説明の便宜上、本明細書での様々な説明は、通信システム１００における３ＧＰＰに従って、行われる。しかしながら、本願開示の主題は、この観点に限定されず、本明細書に開示された実施形態は、他の有線若しくは無線の通信プロトコルまたはネットワークに対しても、好都合に適用可能である。例えば、セルラー移動ネットワーク１２０がＵＴＲＡＮを含む実施形態においては、ｅＮＢ１２４は、（更に詳細に後述される）ＵＥ１３２、１３４、または１３６とＮＢを介して通信する様に構成されたＲＮＣ（Ｒａｄｉｏ  Ｎｅｔｗｏｒｋ  Ｃｏｎｔｒｏｌｌｅｒ）を表すものとしてもよい。セルラー移動ネットワーク１２０がＧＥＲＡＮを含む実施形態においては、ｅＮＢ１２４は、ＵＥ１３２、１３４、または１３６とＢＴＳ（Ｂａｓｅ  Ｔｒａｎｓｍｉｓｓｉｏｎ  Ｓｔａｔｉｏｎ）を介して通信する様に構成されたＢＳＣ（Ｂａｓｅ  Ｓｔａｔｉｏｎ  Ｃｏｎｔｒｏｌｌｅｒ）を表すものとしてもよい。
【００１７】
様々な実施形態において、ＵＥ１３２は、例えばｅＮＢ１２４等の基地局の１つを有する無線リンクを介して、セルラー移動ネットワーク１２０へアクセスするものとしてもよい。ダウンリンク（ＤＬ）送信は、ｅＮＢ１２４からＵＥ１３２への通信であってもよい。アップリンク（ＵＬ）送信は、ＵＥ１３２からｅＮＢ１２４への通信であってもよい。説明の便宜上、図１には、限られた数のみのＵＥ及びｅＮＢが示されている。しかしながら、通信システム１００は、本願開示に係る適切な実施形態を実施する際には、何れの数のＵＥ、ｅＮＢ、または他のサーバを有するものとしてもよい。一つの例として、幾つかの実施形態においては、セルラー移動ネットワーク１２０は、ＭＴＣ（Ｍａｃｈｉｎｅ  Ｔｙｐｅ  Ｃｏｍｍｕｎｉｃａｔｉｏｎ）を容易にするために、例えばＭＴＣサーバ（不図示）等の他のサーバも、含むものとしてもよい。
【００１８】
幾つかの実施形態においては、ＵＥ１３４は、別のマシンと通信する様に構成されるものとしてもよい。データは、殆どまたは全く人の介在を必要とせずに、ＵＥ１３４から別のマシンへ送信されるか、あるいは、ＵＥ１３４により別のマシンから受信されるものとしてもよい。例えば、ＵＥ１３４は、無線送受信機（例えば、図２を参照して後述される送受信機回路２２４）に電気的に接続されたセンサであってもよく、また、殆どまたは全く介在無く、別のマシン（例えば、別のセンサ）と通信する様に、構成されるものとしてもよい。幾つかの実施形態においては、ＵＥ１３４の無線送受信機もまた、ＷＭＡＮ（Ｗｉｒｅｌｅｓｓ  Ｍｅｔｒｏｐｏｌｉｔａｎ  Ａｒｅａ  Ｎｅｔｗｏｒｋ）、ＷＬＡＮ（Ｗｉｒｅｌｅｓｓ  Ｌｏｃａｌ  Ａｒｅａ  Ｎｅｔｗｏｒｋ）、またはＷＰＡＮ（Ｗｉｒｅｌｅｓｓ  Ｐｅｒｓｏｎａｌ  Ａｒｅａ  Ｎｅｔｗｏｒｋ）のうち、少なくとも１つと通信する様に、構成されるものとしてもよい。
【００１９】
幾つかの実施形態においては、ＵＥ１３６は、適切なプロトコル（例えば、多重入力多重出力（ＭＨＶＩＯ）通信方式）に従い、例えばｅＮＢ１２４を介して、セルラー移動ネットワーク１２０と通信する様に構成された移動通信デバイス、加入者設備、または、別のデバイスであってもよい。更なる詳細については後述するが、ＵＥ１３２、１３４、及び／または１３６は、Ｄ２Ｄ機能を実現可能な様に構成されるものとしてもよい。実施形態においては、Ｄ２Ｄ機能もまた、サイドリンク直接通信（ＳＬ）と称されるものとしてもよい。
【００２０】
様々な実施形態において、ＵＥ１３２、ＵＥ１３４、及びＵＥ１３６は、Ｄ２Ｄネットワーク１３０を形成するものとしてもよい。Ｄ２Ｄネットワーク１３０においては、近接する２つのＵＥは、ｅＮＢ１２４または何れかの他の基地局、及びセルラー移動ネットワークを経由する通信を行うことなく、直接通信するものとしてもよい。デバイス間の直接通信は、Ｄ２Ｄ通信またはピアツーピア（Ｐ２Ｐ）通信として、一般に知られている。様々な実施形態において、Ｄ２Ｄ通信は、ＵＥにより直接確立されるものとしてもよいし、または、ｅＮＢにより少なくとも部分的に容易にされるものとしてもよい。
【００２１】
Ｄ２Ｄネットワーク１３０におけるＤ２Ｄの動作は、セルラー移動ネットワーク１２０に対して非透過的であってもよく、また、セルラースペクトル（例えば、帯域内）またはライセンス不要スペクトル（例えば、帯域外）上で発生するものとしてもよい。Ｄ２Ｄネットワーク１３０におけるＤ２Ｄの動作は、異なる通信技術において、実現可能である。幾つかの実施形態においては、例えば、ブルートゥース（登録商標）またはＷｉ−Ｆｉ等の近距離通信技術が、使用されるものとしてもよい。幾つかの実施形態においては、Ｄ２Ｄ動作は、ライセンスＬＴＥスペクトルまたはライセンス不要ＬＴＥスペクトルを再使用するものとしてもよい。
【００２２】
様々な実施形態において、Ｄ２Ｄネットワーク１３０におけるＤ２Ｄの動作は、デバイス検出を含み、これにより、ＵＥは、Ｄ２Ｄセッションを確立する前に、Ｄ２Ｄ動作のための範囲内に有るか否か、及び／または、Ｄ２Ｄ動作に使用可能であるか否かの判定を行うものとしてもよい。近接検知は、セルラー移動ネットワーク１２０により補助されるものとしてもよく、ＵＥにより少なくとも部分的に実行されるものとしてもよく、または、主にＵＥにより独立して実行されるものとしてもよい。
【００２３】
様々な実施形態において、Ｄ２Ｄ検出は、閉じたＤ２Ｄ検出または開いたＤ２Ｄ検出であってもよい。閉じたＤ２Ｄ検出は、検出可能デバイスが、選択された一組のＤ２Ｄ対応の検出デバイスのみにより検出可能な使用事例に対して、適用可能である。例えば、事前に特定されたデバイスまたは選択されたデバイスのみが、例えば、セルラー移動ネットワーク１２０、Ｄ２Ｄサーバ（不図示）、アプリケーション（不図示）、またはユーザ（不図示）により特定または選択されたデバイスに、接続されることを許可されるものとしてもよい。従って、この使用事例では、検出デバイスは、何れかの対応する識別子を有し、自デバイスが近接において検出したいＤ２Ｄ対応のデバイスを、事前に把握することが想定されるであろう。
【００２４】
これに対して、開いたデバイス検出では、検出可能デバイス自体が、幾つかのまたは全ての近接するＤ２Ｄ対応のデバイスにより検出されたい可能性のある使用事例を想定する。検出デバイスの観点からは、開いたデバイス検出は、検出デバイスが、検出に先立ち、他のＤ２Ｄ対応のデバイスの識別に気付かない可能性がある、ということを示唆する。その結果、開いた検出のためのデバイス検出方法は、近接するＤ２Ｄ対応のデバイスをできる限り多く検出することを目的とするものとしてもよい。
【００２５】
所定の状況においては、例えば、ライセンスされたリソースを用いた開いたＤ２Ｄ検出に関し、ｅＮＢは、ＵＥ間における検出処理の限られた制御を行うものとしてもよい。特に、ｅＮＢは、ＵＥが検出情報を送信するためのＤ２Ｄ検出領域（例えば、リソースブロックまたはサブフレーム等の時間／周波数リソース）の形式により、所定の検出リソースを周期的に割り当てるものとしてもよい。上記検出情報は、ペイロード情報を有する検出シーケンスまたは検出パケットの形式であってもよい。
【００２６】
様々な実施形態において、Ｄ２Ｄネットワーク１３０におけるＤ２Ｄの動作は、スペクトル利用を向上させ、ネットワークのスループットを増大させ、伝送遅延を低減させ、ｅＮＢ１２４用のトラフィックをオフロードし、セルラー移動ネットワーク１２０内の輻輳を緩和させるものとしてもよい。これに関連し、Ｄ２Ｄ動作は、多種多様な適用形態を有するものとしてもよい。例えば、Ｄ２Ｄネットワーク１３０は、ローカルソーシャルネットワーク、コンテンツの共有（シェアリング）、位置に基づくマーケティング、サービス広告、携帯電話間アプリケーション等のために使用されるものとしてもよい。実施形態においては、Ｄ２Ｄネットワーク１３０は、セルラー移動ネットワーク１２０が利用不能または故障した時でさえ機能し得るフォールバック（縮退）公的安全ネットワークとしての役割を果たすものとしてもよい。
【００２７】
様々な実施形態において、Ｄ２Ｄネットワーク１３０内の幾つかのＵＥは、幾つかのＵＥと通信可能であり、かつ、他のＵＥとは通信不能となる様に、Ｄ２Ｄネットワーク１３０内の他のＵＥと関連して配置されるものとしてもよい。実施形態において、ＵＥ１３２、ＵＥ１３４、及びＵＥ１３６は全てが、公的安全グループのメンバであってもよいが、ＵＥ１３４及びＵＥ１３６が、Ｄ２Ｄサイドリンク方式により相互に直接通信できない様に、ＵＥ１３４は、ＵＥ１３６から距離を置いて配置されるものとしてもよい。しかしながら、ＵＥ１３２が、中継ＵＥとしてＵＥ１３２を用いるＵＥ１３４及びＵＥ１３６間のＤ２Ｄ通信のための中継ＵＥとして動作することができる様に、ＵＥ１３４及びＵＥ１３６の各々は、ＵＥ１３２とのＤ２Ｄ通信を用いて、通信可能であってもよい。
【００２８】
図２は、様々な実施形態に係る、本願開示の教示するＵＥ‐ＵＥ間中継を用いた公的安全検出及び通信を具現化する、無線通信環境内のｅＮＢ２１０及びＵＥ２２０の構成要素を例示する概略ブロック図である。ｅＮＢ２１０は、図１のｅＮＢ１２４に類似し、かつ、実質的に代替可能であってもよい。実施形態においては、ｅＮＢ２１０は、１つまたは複数のアンテナ２１８及び通信モジュール２１２を含むものとしてもよい。様々な実施形態において、通信モジュール２１２内の送受信機回路２１４、無線制御回路２１５、及び処理回路２１６は、図示される様に、相互に接続されるものとしてもよい。同様に、ＵＥ２２０は、図１のＵＥ１３２、１３４、または１３６に類似し、かつ、実質的に代替可能であってもよい。実施形態においては、ＵＥ２２０は、１つまたは複数のアンテナ２２８及び通信モジュール２２２を含むものとしてもよい。様々な実施形態において、通信モジュール２２２内の送受信機回路２２４、無線制御回路２２５、処理回路２２６は、図示される様に、相互に接続されるものとしてもよい。
【００２９】
送受信機回路２１４は、アンテナ２１８に接続され、ｅＮＢ２１０への信号及びｅＮＢ２１０からの信号の無線通信を容易にするものとしてもよい。送受信機回路２１４の動作は、これらに限定されないが、フィルタリング、増幅、記憶、スイッチング等を含むものとしてもよい。様々な実施形態において、送受信機回路２１４は、適切な特性を有するアンテナ２１８への信号に対して、様々な信号処理動作を提供する様に構成されるものとしてもよい。幾つかの実施形態においては、送受信機回路２１４は、Ｄ２Ｄ動作の能力を有するＵＥと通信する様に構成されるものとしてもよい。送受信機回路２１４は、ｅＮＢ２１０の他の構成要素への送信、及び／または、処理回路２１６による内部処理のために、アンテナ２１８から信号を受信する様に構成されるものとしてもよい。
【００３０】
処理回路２１６は、サービングセルのＵＥ、例えばＵＥ２２０への設定及び制御情報を生成すると共に、送受信機回路２１４を介してＵＥへ設定及び制御情報を送信するための信号を生成するものとしてもよい。該設定及び制御情報は、例えば、ダウンリンクチャネル情報、ダウンリンク制御情報（ＤＣＩ）、無線リソース制御（ＲＲＣ）の設定情報等を含むものとしてもよい。幾つかの実施形態においては、その様な設定及び制御情報は、ＵＥ２２０のＤ２Ｄ検出、Ｄ２Ｄ通信、またはＤ２Ｄ中継の機能の少なくとも１つを有効にするためのＳＩＢメッセージを含むものとしてもよい。様々な実施形態において、処理回路２１６は、ＵＥ２２０のための異なるタイプのＳＩＢメッセージを生成するものとしてもよい。一つの例として、処理回路２１６は、Ｄ２Ｄ動作のための許可情報または設定情報を伴った二次通知用の第２タイプＳＩＢメッセージの後続する、一次通知用の第１タイプＳＩＢメッセージを生成するものとしてもよい。様々な実施形態において、ＵＥ２２０への二次通知は、Ｄ２Ｄ動作のための好適な周波数スペクトルのための情報、Ｄ２Ｄ同期元のセットアップのための情報、公的安全警報または公的安全解除のメッセージを含むものとしてもよい。
【００３１】
様々な実施形態において、処理回路２１６は、例えば、図１のＤ２Ｄネットワーク１３０を構築するために、警報領域内において選択された多数のＵＥのための上述したＳＩＢメッセージを生成するものとしてもよい。幾つかの実施形態においては、通信モジュール２１２は、ページングにより、一次通知を伴う第１タイプＳＩＢメッセージを送信するものとしてもよい。ページングメッセージは、ＲＲＣ接続モードだけでなくＲＲＣアイドルモードにおいても、ＵＥとの通信に使用されるものとしてもよい。幾つかの実施形態においては、通信モジュール２１２は、ＣＢＳ（Ｃｅｌｌ  Ｂｒｏａｄｃａｓｔ  Ｓｅｒｖｉｃｅ）により、二次通知を伴う第２タイプＳＩＢメッセージを送信するものとしてもよい。
【００３２】
通信モジュール２１２と同様に、通信モジュール２２２は、アンテナ２２８に接続され、ＵＥ２２０及びｅＮＢ２１０間、または、ＵＥ２２０及び別のＵＥ間における信号の無線通信を容易にするものとしてもよい。例えば、送受信機回路２２４は、適切な特性を有するアンテナ２２８への信号に対して、様々な信号処理動作を提供する様に構成されるものとしてもよい。様々な実施形態において、送受信機回路２２４の動作は、これらに限定されないが、フィルタリング、増幅、記憶、スイッチング等を含むものとしてもよい。送受信機回路２２４は、アンテナ２１８から信号を受信し、その後、ＵＥ２２０の他の構成要素へ、及び／または、処理回路２２６による内部処理のために、信号を送信する様に構成されるものとしてもよい。
【００３３】
幾つかの実施形態においては、通信モジュール２２２は、ＵＥ２２０がＲＲＣアイドル状態にある場合に、ページングタイプ１のメッセージ内の一次通知を受信する様に構成されるものとしてもよい。幾つかの実施形態においては、通信モジュール２２２は、ＵＥがＲＲＣ接続状態にある場合に、ＳＩＣＩ（Ｓｙｓｔｅｍ  Ｉｎｆｏｒｍａｔｉｏｎ  Ｃｈａｎｇｅ  Ｉｎｄｉｃａｔｉｏｎ）のメッセージ内の一次通知を受信する様に構成されるものとしてもよい。幾つかの実施形態においては、処理回路２２６は、一次通知に応答して、Ｄ２Ｄ動作のための許可情報または設定情報を伴った１つまたは複数の二次通知を含む１つまたは複数のセルブロードキャストメッセージを受信するための通信モジュール２２２を構成するものとしてもよい。幾つかの実施形態においては、通信モジュール２２２は、二次通知内に含まれる情報の少なくとも一部に基づき、１つまたは複数のセルブロードキャストメッセージを受信するものとしてもよく、また、ＵＥ２２０は、例えば、Ｄ２Ｄ動作または適切なＤ２Ｄ同期元のための好適なスペクトルを用いて、Ｄ２Ｄ動作のために適切に構成されるものとしてもよい。
【００３４】
幾つかの実施形態においては、ＵＥ２２０は、複数の各成分搬送波（キャリア）の無線リソースを同時に利用するための１つまたは複数のアンテナ２２８を有するものとしてもよい。ＵＥ２２０は、（例えば、ダウンリンク通信における）ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及び／または、（例えば、アップリンク通信における）ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を用いて通信する様に構成されるものとしてもよい。幾つかの実施形態においては、ＵＥ２２０は、送受信機回路２２４を用いて、ＬＴＥＰｒｏＳｅまたはＬＴＥダイレクトを介して、別のＵＥと通信するものとしてもよい。
【００３５】
幾つかの実施形態においては、通信モジュール２２２は、接続可能な１つまたは複数のＳＩＭ（Ｓｕｂｓｃｒｉｂｅｒ  Ｉｄｅｎｔｉｔｙ  Ｍｏｄｕｌｅ）（不図示）のための通信サービスを提供する様に構成されるものとしてもよい。幾つかの実施形態においては、ＳＩＭは、通信モジュール２２２と取り外し可能に接続されるものとしてもよい。他の実施形態においては、ＳＩＭは、ＵＥ２２０と取り外し不能に接続されたハードウェア及び／またはファームウェアであってもよい。様々な実施形態において、ＳＩＭは、ＵＩＣＣ（Ｕｎｉｖｅｒｓａｌ  Ｉｎｔｅｇｒａｔｅｄ  Ｃｉｒｃｕｉｔ  Ｃａｒｄ）、通常サイズのＳＩＭ、ミニＳＩＭ、マイクロＳＩＭ、ナノＳＩＭ、埋め込み型ＳＩＭ、及び／または仮想ＳＩＭを含むものとしてもよい。幾つかの実施形態においては、１つまたは複数のＳＩＭは、通信メッセージ内のＳＩＭに接続されたＵＥにより他のＵＥへ送信可能な上位層ユーザ情報を格納するものとしてもよい。
【００３６】
ＳＩＭは、例えばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）等の加入者識別情報、並びに、ＵＥ２２０を用いて１つまたは複数の加入者を特定及び認証するために使用される関連キーを、安全に格納する集積回路であってもよい。各ＳＩＭは、異なる加入者識別情報及び／または他のユーザ情報と関連付けられていてもよく、また、異なる搬送波と関連付けられていても、または、いなくてもよい。様々な実施形態において、ＩＭＳＩ及び関連情報は、Ｄ２Ｄ検出及びＤ２Ｄ動作を容易にするために用いられるものとしてもよい。
【００３７】
送受信機回路２２４及び／または処理回路２２６の幾つかまたは全ては、図５に関して後述される様な、例えば、ＲＦ（Ｒａｄｉｏ  Ｆｒｅｑｕｅｎｃｙ）回路またはベースバンド回路内に、含まれるものとしてもよい。様々な実施形態において、ＵＥ２２０は、単独のセンサデバイス、携帯電話、ＰＣ（Ｐｅｒｓｏｎａｌ  Ｃｏｍｐｕｔｅｒ）、ノート型パソコン、ウルトラブック型パソコン、ネットブック型パソコン、スマートフォン、ＵＭＰＣ（Ｕｌｔｒａ  Ｍｏｂｉｌｅ  ＰＣ）、ハンドヘルド移動デバイス、ＵＩＣＣ、ＰＤＡ（Ｐｅｒｓｏｎａｌ  Ｄｉｇｉｔａｌ  Ａｓｓｉｓｔａｎｔ）、ＣＰＥ（Ｃｕｓｔｏｍｅｒ  Ｐｒｅｍｉｓｅ  Ｅｑｕｉｐｍｅｎｔ）、タブレット型演算デバイス、または、例えばＭＰ３プレーヤ、デジタルカメラ等の他の消費家電等であってもよいし、これらを含んでもよいし、あるいは、これらに含まれるものとしてもよい。幾つかの実施形態においては、ＵＥは、ＩＥＥＥ８０２．１６ｅ（２００５）または８０２．１６ｍ（２００９）またはＩＥＥＥ８０２．１６規格の幾つかの他の版により定義される様な移動局、あるいは、３ＧＰＰＬＴＥのリリース８（２００８）、リリース９（２００９）、リリース１０（２０１１）、リリース１２（２０１４）、リリース１３（開発中）、または、３ＧＰＰＬＴＥ規格の幾つかの他の版若しくはリリースにより定義される様なユーザ機器を、含むものとしてもよい。
【００３８】
図３は、モデルＡ（通知／監視）を用いたＵＥ‐ＵＥ間中継検出処理及び通信処理３００の一例を示す図である。実施形態においては、ＵＥ３０２、ＵＥ３０４、及びＵＥ３０６は各々、モデルＡを用いてＵＥ‐ＵＥ間中継検出を実行する前に、モデルＡまたはモデルＢ（検出者／被検出者）を用いてグループメンバ検出を実行するものとしてもよい。様々な実施形態において、ＵＥ３０２、３０４、及び３０６は、図１のＵＥ１３２、１３４、及び１３６とそれぞれ類似し、かつ、実質的に代替可能であってもよい。ＵＥ３０２、３０４、及び３０６は、図２のＵＥ２２０に関して記載される様に、構成されるものとしてもよい。幾つかの実施形態においては、モデルＡまたはモデルＢを用いたグループメンバ検出は、３ＧＰＰＴＲ（Ｔｅｃｈｎｉｃａｌ  Ｒｅｐｏｒｔ）２３．７１３（リリース１３、０．３．０版、２０１４）に記載された方法を用いて、実行されるものとしてもよい、及び／または、３ＧＰＰＴＳ（Ｔｅｃｈｎｉｃａｌ  Ｓｐｅｃｉｆｉｃａｔｉｏｎ）３６．３００（リリース１２、１２．４．０版、２０１４）に記載されたＤ２Ｄ検出またはＤ２Ｄ通信の能力を用いて、実行されるものとしてもよい。モデルＡのグループメンバ検出により、各ＵＥは、通知に設定されたタイプパラメータ、グループメンバ検出に設定された検出タイプパラメータ、通知ＵＥと関連付けられたユーザに関する上位層情報を含む様に設定可能な通知者情報パラメータ（例えば、ＩＭＳＩ、ＭＳＩＮ（Ｍｏｂｉｌｅ  Ｓｕｂｓｃｒｉｂｅｒ  Ｉｄｅｎｔｉｆｉｃａｔｉｏｎ  Ｎｕｍｂｅｒ）、または、例えば、通知ＵＥ内のＵＩＣＣ上に格納可能な他の情報等）、及び、通知ＵＥのＰｒｏＳｅのＵＥＩＤに設定可能なＰｒｏＳｅのＵＥＩＤパラメータと共に、メッセージを送信する通知ＵＥとして、動作するものとしてもよい。幾つかの実施形態においては、ＰｒｏＳｅのＵＥＩＤは、直接通信のために使用されるリンク層識別子であってもよい。様々な実施形態において、通知メッセージは、通知ＵＥにより定期的にブロードキャストされるものとしてもよい。監視ＵＥとして動作する別のＵＥが、通知ＵＥからメッセージを受信する場合、別のＵＥは、通知ＵＥとのＤ２Ｄ通信に参加可能であると、判定するものとしてもよい。
【００３９】
モデルＢのグループメンバ検出により、各ＵＥは、勧誘に設定されたタイプパラメータ、グループメンバ検出に設定された検出タイプパラメータ、検出者ＵＥのグループ内の他のＵＥと関連付けられた１つまたは複数のユーザに関する上位層被検出者情報を含む様に設定可能な被検出者情報パラメータ、検出者ＵＥと関連付けられたユーザに関する上位層検出者情報を含む様に設定可能な検出者情報パラメータ、及び、検出者ＵＥのＰｒｏＳｅのＵＥＩＤに設定可能なＰｒｏＳｅのＵＥＩＤパラメータと共に、メッセージを送信する検出者ＵＥとして、動作するものとしてもよい。様々な実施形態において、検出者ＵＥによる勧誘メッセージは、ブロードキャスト、マルチキャスト、またはグループキャストされるものとしてもよい。被検出者ＵＥとして動作する別のＵＥが、検出者ＵＥから勧誘メッセージを受信し、かつ、被検出者情報に関するＵＥの１つと関連付けられていると判定する場合、別のＵＥは、応答のために設定されたタイプパラメータ、グループメンバ検出のために設定された検出タイプパラメータ、応答メッセージを送信するＵＥと関連付けられたユーザに関する上位層被検出者情報を含む様に設定可能な被検出者情報パラメータ、及び、応答メッセージを送信する被検出者ＵＥのＰｒｏＳｅのＵＥＩＤに設定可能なＰｒｏＳｅのＵＥＩＤパラメータと共に、応答メッセージを検出者ＵＥへ返信するものとしてもよい。幾つかの実施形態においては、応答メッセージは、ユニキャストされるものとしてもよい。検出者ＵＥとして動作するＵＥが、被検出者ＵＥとして動作するＵＥから応答メッセージを受信する場合、検出者ＵＥは、応答メッセージを送信した被検出者ＵＥとのＤ２Ｄ通信に参加可能であると、判定するものとしてもよい。
【００４０】
様々な実施形態において、ＵＥ３０４は、モデルＡまたはモデルＢを用いたグループメンバ検出により、ブロック３０８においてＵＥ３０６を検出するものとしてもよい。ブロック３１０において、ＵＥ３０２は、モデルＡまたはモデルＢを用いたグループメンバ検出により、ＵＥ３０４及びＵＥ３０６の双方を検出するものとしてもよい。ＵＥ３０２は、ＵＥ３０４及びＵＥ３０６の双方を検出した後、ＵＥ３０４及びＵＥ３０６間の潜在的な中継ＵＥとして動作可能であると、判定するものとしてもよい。様々な実施形態において、ＵＥ３０２、３０４、及び３０６の全てが、公的安全グループの一部となる様に構成されるものとしてもよい。幾つかの実施形態においては、ＵＥ３０２は、公的安全グループの一部でなくてもよく、また、ＵＥ３０２がグループのメンバでないとしても、ＵＥ３０４及びＵＥ３０６が、Ｄ２Ｄ通信のためのＵＥ中継としてＵＥ３０２を使用可能な様に、ＵＥ３０２が公的安全グループの一部でないとしても、ＵＥ３０２がＵＥ３０４及びＵＥ３０６を検出することを可能とする、ブロック３１０におけるＵＥ検出処理に参加するものとしてもよい。
【００４１】
ＵＥ３０２は、モデルＡ（通知／監視）の下でのＵＥ‐ＵＥ間中継検出の一部として、ブロック３１２において、通知メッセージを送信するものとしてもよい。通知メッセージは、通知のために設定されたタイプパラメータ、ＵＥ‐ＵＥ間中継検出のために設定された検出タイプパラメータ、ＵＥ３０２と関連付けられたユーザに関する上位層情報を含む様に設定可能な通知者情報パラメータ（例えば、ＩＭＳＩ、ＭＳＩＮ、または、例えば、ＵＥ３０２内のＵＩＣＣ上に格納可能な他の情報等）、ＵＥ３０２のＰｒｏＳｅのＵＥＩＤに設定可能なＰｒｏＳｅのＵＥＩＤパラメータ、並びに、検出されたＵＥ３０４及び検出されたＵＥ３０６と関連付けられたユーザに関する上位層リモートユーザ情報パラメータのリストを含むものとしてもよい。幾つかの実施形態においては、通知メッセージは、検出されたＵＥ３０４及び検出されたＵＥ３０６のレイヤ２識別子も含むものとしてもよい。レイヤ２識別子は、幾つかの実施形態においては、ＭＡＣアドレスであってもよく、また、様々な実施形態において、上位層リモートユーザ情報パラメータのリストと関連付けて、提供されるものとしてもよい。ＵＥ３０４及びＵＥ３０６の双方は、通知メッセージを監視するので、通知メッセージは、ＵＥ３０４及びＵＥ３０６の双方により受信されるものとしてもよい。
【００４２】
その後、ＵＥ３０４は、第２通信３２０においてＵＥ３０６へＵＥ３０２により中継されるＵＥ３０２への第１通信３１８を有するＵＥ‐ＵＥ間中継を用いたＤ２Ｄ通信処理３１６において、ＵＥ３０６と通信するものとしてもよい。幾つかの実施形態において、Ｄ２Ｄ通信処理３１６は、プッシュトーク方式により、実行されるものとしてもよい。
【００４３】
様々な実施形態において、ＵＥ‐ＵＥ間中継を特定する中継レイヤ２ＩＤパラメータ、及びＭＡＣフレームが「中継へ」または「中継から」送信されているか否かを示す方向パラメータ用のフィールドを含む拡張ＭＡＣヘッダが、使用されるものとしてもよい。ＵＥ３０４が、第１通信３１８において、ＵＥ３０２を介してＵＥ３０６へデータを送信する際、ＭＡＣフレーム内のアドレス指定識別子は、以下に示す様なフィールドを用いて設定されるものとしてもよい。すなわち、フィールドは、送信元レイヤ２ＩＤ＝ＵＥ３０４のＰｒｏＳｅのＵＥＩＤ（例えば、レイヤ２ＩＤ）、送信先レイヤ２ＩＤ＝ＵＥ３０６のＰｒｏＳｅのＵＥＩＤ（例えば、レイヤ２ＩＤ）、中継レイヤ２ＩＤ＝ＵＥ３０２のＰｒｏＳｅのＵＥＩＤ（例えば、レイヤ２ＩＤ）、及び方向＝「中継へ」である。
【００４４】
ＵＥ３０２が、ＵＥ３０４から受信されたＭＡＣフレームの少なくとも一部に基づき、中継ＭＡＣフレームを生成することにより、第２通信３２０において、ＵＥ３０６へＭＡＣフレームを転送する際、ＭＡＣフレーム内のアドレス指定識別子は、以下に示す様なフィールドを用いて設定されるものとしてもよい。すなわち、フィールドは、送信元レイヤ２ＩＤ＝ＵＥ３０４のＰｒｏＳｅのＵＥＩＤ（例えば、レイヤ２ＩＤ）、送信先レイヤ２ＩＤ＝ＵＥ３０６のＰｒｏＳｅのＵＥＩＤ（例えば、レイヤ２ＩＤ）、中継レイヤ２ＩＤ＝ＵＥ３０２のＰｒｏＳｅのＵＥＩＤ（例えば、レイヤ２ＩＤ）、及び方向＝「中継から」である。実施形態において、ＵＥ３０４及びＵＥ３０６間の通信は、処理状態を把握しない方法により、実行されるものとしてもよい。様々な実施形態において、ＵＥ３０４は、ＵＥ３０６と通信する際、フレーム単位で中継ＵＥを動的に切り替えるものとしてもよく、その結果、パケットフラッディングを低減させることにより、パフォーマンスを向上させるものとしてもよい。ＵＥ３０４は、別の潜在的な中継ＵＥを検出するものとしてもよいし、また、ＵＥ３０２が、ＵＥ３０４及びＵＥ３０６間の通信のための中継ＵＥとしてもはや動作することができない様に、範囲外に移動する場合、ＵＥ３０４は、他の潜在的な中継ＵＥへ通信を切り替えるものとしてもよい。
【００４５】
幾つかの実施形態においては、ＵＥ‐ＵＥ間中継検出処理及び通信処理３００は、ＵＥ３０２、３０４、及び３０６に対応するＩＰ（Ｉｎｔｅｒｎｅｔ  Ｐｒｏｔｏｃｏｌ）アドレス情報の通信を含むものとしてもよいし、また、ＵＥ３０２は、レイヤ２ではなくレイヤ３の転送処理を提供するものとしてもよい。ブロック３０８及びブロック３１０におけるグループメンバ検出の手順は、各メッセージが、例えば、グループＡの通知メッセージまたはグループＢの勧誘及び応答メッセージ内の、ＵＥのＰｒｏＳｅのＵＥＩＤの次のＩＰアドレスを含むこと等により、メッセージを送信するＵＥの割り当てられたＩＰアドレスを含む様に、拡張されるものとしてもよい。幾つかの実施形態においては、ＩＰアドレスの通信のための別の手法が、関係ＵＥ（例えば、ＵＥ３０４）が、中継ＵＥを経由して遠隔ＵＥから関係ＵＥへ返信されるＩＰアドレス情報により、遠隔ＵＥ（例えば、ＵＥ３０６）からの情報を同様に探索可能な中継ＵＥ（例えば、ＵＥ３０２）からの付加情報を探索することを可能とする付加的な信号メッセージを使用することにより、用いられるものとしてもよい。
【００４６】
図４は、モデルＢを用いたＵＥ‐ＵＥ間中継検出処理及び通信処理４００の一例を示す図である。実施形態においては、ＵＥ４０２、ＵＥ４０４、及びＵＥ４０６は各々、図３のＵＥ３０２、ＵＥ３０４、及びＵＥ３０６について上述した様に、モデルＢを用いてＵＥ‐ＵＥ間中継検出を実行する前に、モデルＡまたはモデルＢを用いてグループメンバ検出を実行するものとしてもよい。様々な実施形態において、ＵＥ４０２、４０４、及び４０６は、図１のＵＥ１３２、１３４、及び１３６についてそれぞれ記載したのと同様に、ＬＴＥネットワーク内に位置するものとしてもよい。ＵＥ４０２、４０４、及び４０６は、図２のＵＥ２２０に関して記載される様に、構成されるものとしてもよい。様々な実施形態において、ＵＥ４０４は、ブロック４０８において、モデルＡまたはモデルＢを用いたグループメンバ検出により、ＵＥ４０２を検出するものとしてもよい。ブロック４１０において、ＵＥ４０２は、モデルＡまたはモデルＢを用いたグループメンバ検出により、ＵＥ４０４及びＵＥ４０６の双方を検出するものとしてもよい。様々な実施形態において、ＵＥ４０２、４０４、及び４０６の全てが、公的安全グループの一部となる様に構成されるものとしてもよい。幾つかの実施形態においては、ＵＥ４０２は、公的安全グループの一部でなくてもよく、また、ＵＥ４０２がグループのメンバでないとしても、ＵＥ４０４及びＵＥ４０６が、Ｄ２Ｄ通信のためのＵＥ中継としてＵＥ４０２を使用可能な様に、ＵＥ４０２が公的安全グループの一部でないとしても、ＵＥ４０２がＵＥ４０４及びＵＥ４０６を検出することを可能とする、ブロック４１０におけるＵＥ検出処理に参加するものとしてもよい。ＵＥ４０４は、その隣接ＵＥを検出した後、関係のあるグループメンバ（例えば、リモートユーザ、ＵＥ４０６）が直接的な範囲内にないと、判定するものとしてもよい。
【００４７】
その後、ＵＥ４０４は、検出者の役割において、モデルＢ（検出者／被検出者）の下でのＵＥ‐ＵＥ間中継検出の一部として、ブロック４１２において、勧誘メッセージを送信することにより、潜在的なＵＥ‐ＵＥ間中継を勧誘するものとしてもよい。勧誘メッセージは、勧誘のために設定されたタイプパラメータ、ＵＥ‐ＵＥ間中継検出のために設定された検出タイプパラメータ、ＵＥ４０４と関連付けられた上位層ユーザ情報を含むものとしてもよい検出者情報パラメータ（例えば、ＩＭＳＩ、ＭＳＩＮ、または、例えば、ＵＥ４０４内のＵＩＣＣ上に格納可能な他の情報等）、ＵＥ４０４のＰｒｏＳｅのＵＥＩＤに設定可能なＰｒｏＳｅのＵＥＩＤパラメータ（例えば、ＵＥ４０４のレイヤ２識別子）、並びに、関係のあるＵＥのための上位層リモートユーザ情報パラメータのリスト（例えば、ＵＥ４０６と関連付けられたユーザのためのユーザ情報）を含むものとしてもよい。幾つかの実施形態においては、勧誘メッセージは、関係のあるＵＥのための上位層リモートユーザ情報パラメータのリストに加えて、または、その代わりに、関係のある遠隔ＵＥのためのレイヤ２識別子を含むものとしてもよい。幾つかの実施形態においては、上位層リモートユーザ情報パラメータのうち１つまたは複数は、目標情報パラメータと称されるものとしてもよい。
【００４８】
ＵＥ４０２は、勧誘メッセージの受信を以って、ＵＥ‐ＵＥ間中継として動作することができると、（被検出者の役割において）判定するものとしてもよいし、また、応答メッセージをＵＥ４０４へ返信するものとしてもよい。応答メッセージは、応答のために設定されたタイプパラメータ、ＵＥ‐ＵＥ間中継検出のために設定された検出タイプパラメータ、ＵＥ４０２のユーザと関連付けられてもよい上位層被検出者ユーザ情報を含むものとしてもよい被検出者情報パラメータ、ＵＥ４０２のＰｒｏＳｅのＵＥＩＤに設定可能なＰｒｏＳｅのＵＥＩＤパラメータ（例えば、ＵＥ４０２のレイヤ２識別子）、及び、関係のあるＵＥと関連付けられたユーザに関する上位層ユーザ情報パラメータのリスト（例えば、ＵＥ４０６と関連付けられたユーザ情報）を含むものとしてもよい。幾つかの実施形態においては、応答メッセージは、関係のあるＵＥと関連付けられたレイヤ２識別子も含むものとしてもよいし、また、対応する上位層ユーザ情報と関連付けて、提供されるものとしてもよい。
【００４９】
その後、ＵＥ４０４は、応答メッセージの受信を以って、第２通信４２０においてＵＥ４０６へＵＥ４０２により中継されるＵＥ４０２への第１通信４１８を有するＵＥ‐ＵＥ間中継を用いたＤ２Ｄ通信処理４１７において、ＵＥ４０６と通信するものとしてもよい。幾つかの実施形態において、Ｄ２Ｄ通信処理４１７は、プッシュトーク方式により、実行されるものとしてもよい。
【００５０】
様々な実施形態において、ＵＥ‐ＵＥ間中継を特定する中継レイヤ２ＩＤパラメータ、及びＭＡＣフレームが「中継へ」または「中継から」送信されているか否かを示す方向パラメータ用のフィールドを含む拡張ＭＡＣヘッダが、使用されるものとしてもよい。ＵＥ４０４が、第１通信４１８において、ＵＥ４０２を介してＵＥ４０６へデータを送信する際、ＭＡＣフレーム内のアドレス指定識別子は、以下に示す様なフィールドを用いて設定されるものとしてもよい。すなわち、フィールドは、送信元レイヤ２ＩＤ＝ＵＥ４０４のＰｒｏＳｅのＵＥＩＤ（例えば、レイヤ２ＩＤ）、送信先レイヤ２ＩＤ＝ＵＥ４０６のＰｒｏＳｅのＵＥＩＤ（例えば、レイヤ２ＩＤ）、中継レイヤ２ＩＤ＝ＵＥ４０２のＰｒｏＳｅのＵＥＩＤ（例えば、レイヤ２ＩＤ）、及び方向＝「中継へ」である。
【００５１】
ＵＥ４０２が、ＵＥ４０４から受信されたＭＡＣフレームの少なくとも一部に基づき、中継ＭＡＣフレームを生成することにより、第２通信４２０において、ＵＥ４０６へＭＡＣフレームを転送する際、中継ＭＡＣフレーム内のアドレス指定識別子は、以下に示す様なフィールドを用いて設定されるものとしてもよい。すなわち、フィールドは、送信元レイヤ２ＩＤ＝ＵＥ４０４のＰｒｏＳｅのＵＥＩＤ（例えば、レイヤ２ＩＤ）、送信先レイヤ２ＩＤ＝ＵＥ４０６のＰｒｏＳｅのＵＥＩＤ（例えば、レイヤ２ＩＤ）、中継レイヤ２ＩＤ＝ＵＥ４０２のＰｒｏＳｅのＵＥＩＤ（例えば、レイヤ２ＩＤ）、及び方向＝「中継から」である。実施形態において、ＵＥ４０４及びＵＥ４０６間の通信は、処理状態を把握しない方法により、実行されるものとしてもよい。様々な実施形態において、ＵＥ４０４は、ＵＥ４０６と通信する際、フレーム単位で中継ＵＥを動的に切り替えるものとしてもよく、その結果、パケットフラッディングを低減させることにより、パフォーマンスを向上させるものとしてもよい。ＵＥ４０４は、別の潜在的な中継ＵＥを検出するものとしてもよいし、また、ＵＥ４０２が、ＵＥ４０４及びＵＥ４０６間の通信のための中継ＵＥとしてもはや動作することができない様に、範囲外に移動する場合、ＵＥ４０４は、他の潜在的な中継ＵＥへ通信を切り替えるものとしてもよい。
【００５２】
幾つかの実施形態においては、ＵＥ‐ＵＥ間中継検出処理及び通信処理４００は、ＵＥ４０２、４０４、及び４０６に対応するＩＰアドレス情報の通信を含むものとしてもよいし、また、ＵＥ４０２は、レイヤ２ではなくレイヤ３の転送処理を提供するものとしてもよい。ブロック４０８及びブロック４１０におけるグループメンバ検出の手順は、各メッセージが、例えば、グループＡの通知メッセージまたはグループＢの勧誘及び応答メッセージ内の、ＵＥのＰｒｏＳｅのＵＥＩＤの次のＩＰアドレスを含むこと等により、メッセージを送信するＵＥの割り当てられたＩＰアドレスを含む様に、拡張されるものとしてもよい。幾つかの実施形態においては、ＩＰアドレスの通信のための別の手法が、関係ＵＥ（例えば、ＵＥ４０４）が、中継ＵＥを経由して遠隔ＵＥから関係ＵＥへ返信されるＩＰアドレス情報により、遠隔ＵＥ（例えば、ＵＥ４０６）からの情報を同様に探索可能な中継ＵＥ（例えば、ＵＥ４０２）からの付加情報を探索することを可能とする付加的な信号メッセージを使用することにより、用いられるものとしてもよい。
【００５３】
ＵＥ２２０またはｅＮＢ２１０は、図２に関して記載される様に、所望の様に構成された何れかの適切なハードウェア、ファームウェア、及び／またはソフトウェアを用いて、システム内に組み入れられるものとしてもよい。図５は、一つの実施形態において、少なくとも図示する様に相互に接続されたＲＦ（Ｒａｄｉｏ  Ｆｒｅｑｕｅｎｃｙ）回路５０４、ベースバンド回路５０８、アプリケーション回路５１２、メモリ／格納装置（ストレージ）５１６、表示装置（ディスプレイ）５２０、カメラ５２４、センサ５２８、及び、Ｉ／Ｏ（Ｉｎｐｕｔ／Ｏｕｔｐｕｔ）インタフェース５３２を有するシステム５００の一例を示す。
【００５４】
アプリケーション回路５１２は、これらに限らないが、例えば、１つまたは複数のシングルコアまたはマルチコアのプロセッサ等の回路を含むものとしてもよい。プロセッサは、汎用プロセッサ及び専用プロセッサ（例えば、グラフィックプロセッサ、アプリケーションプロセッサ等）の任意の組合せを含むものとしてもよい。プロセッサは、メモリ／格納デバイス５１６に接続されると共に、メモリ／格納デバイス５１６内に格納された命令を実行し、様々なアプリケーション及び／またはオペレーティングシステムをシステム５００上で動作可能とする様に構成されるものとしてもよい。
【００５５】
ベースバンド回路５０８は、これらに限らないが、例えば、１つまたは複数のシングルコアまたはマルチコアのプロセッサ等の回路を含むものとしてもよい。プロセッサは、ベースバンドプロセッサを含むものとしてもよい。様々な実施形態において、ベースバンド回路５０８は、１つまたは複数のＤＳＰ（Ｄｉｇｉｔａｌ  Ｓｉｇｎａｌ  Ｐｒｏｃｅｓｓｏｒ）を含むものとしてもよい。ベースバンド回路５０８は、ＲＦ回路５０４を介した、１つまたは複数の無線ネットワークとの通信を可能とする様々な無線制御機能を扱うものとしてもよい。無線制御機能は、これらに限定されないが、信号変調、符号化、復号、無線周波数の移動等を含むものとしてもよい。幾つかの実施形態においては、ベースバンド回路５０８は、１つまたは複数の無線技術に適合する通信を提供するものとしてもよい。例えば、幾つかの実施形態においては、ベースバンド回路５０８は、Ｅ−ＵＴＲＡＮ、及び／または、他のＷＭＡＮ、ＷＬＡＮ、若しくはＷＰＡＮとの通信をサポートするものとしてもよい。ベースバンド回路５０８が、１つ以上の無線プロトコルの無線通信をサポートする様に構成される実施形態は、マルチモードベースバンド回路と称されるものとしてもよい。
【００５６】
様々な実施形態において、ベースバンド回路５０８は、ベースバンド周波数内にあるとは厳密にはみなされない信号により動作する回路を含むものとしてもよい。例えば、幾つかの実施形態においては、ベースバンド回路５０８は、ベースバンド周波数及び無線周波数間の中間周波数を有する信号により動作する回路を含むものとしてもよい。
【００５７】
幾つかの実施形態においては、図２の処理回路２１６または２２６は、アプリケーション回路５１２及び／またはベースバンド回路５０８内に具現化されるものとしてもよい。実施形態において、図２の無線制御回路２１５または２２５は、ベースバンド回路５０８内に具現化されるものとしてもよい。
【００５８】
ＲＦ回路５０４は、非固体媒体を経由した、変調電磁放射線を用いた無線ネットワークとの通信を可能とするものとしてもよい。様々な実施形態において、ＲＦ回路５０４は、無線ネットワークとの通信を容易にするためのスイッチ、フィルタ、増幅器等を含むものとしてもよい。
【００５９】
様々な実施形態において、ＲＦ回路５０４は、無線周波数内にあるとは厳密にはみなされない信号により動作する回路を含むものとしてもよい。例えば、幾つかの実施形態においては、ＲＦ回路５０４は、ベースバンド周波数及び無線周波数間の中間周波数を有する信号により動作する回路を含むものとしてもよい。
【００６０】
幾つかの実施形態においては、図２の送受信機回路２１４または２２４は、ＲＦ回路５０４内に具現化されるものとしてもよい。実施形態において、図２の無線制御回路２１５または２２５は、ＲＦ回路５０４内に具現化されるものとしてもよい。
【００６１】
幾つかの実施形態において、ベースバンド回路５０８、アプリケーション回路５１２、及び／または、メモリ／格納デバイス５１６の構成要素の幾つかまたは全ては、ＳＯＣ（Ｓｙｓｔｅｍ  Ｏｎ  ａ  Ｃｈｉｐ）上で、共同して実行されるものとしてもよい。
【００６２】
メモリ／格納デバイス５１６は、例えばシステム５００のためのデータ及び／または命令を、読込み及び格納するために、用いられるものとしてもよい。１つの実施形態のためのメモリ／格納デバイス５１６は、適切な揮発性メモリ（例えば、ＤＲＡＭ（Ｄｙｎａｍｉｃ  Ｒａｎｄｏｍ  Ａｃｃｅｓｓ  Ｍｅｍｏｒｙ））、及び／または、不揮発性メモリ（例えば、フラッシュメモリ）の任意の組合せを含むものとしてもよい。
【００６３】
様々な実施形態において、Ｉ／Ｏインタフェース５３２は、ユーザによるシステム５００との相互作用を可能とするための１つまたは複数のユーザインタフェース、及び／または、周辺構成要素によるシステム５００との相互作用を可能とするための周辺構成要素インタフェースを含むものとしてもよい。ユーザインタフェースは、これらに限定されないが、物理的なキーボードまたはキーパッド、タッチパッド、スピーカ、マイクロフォン等を含むものとしてもよい。周辺構成要素インタフェースは、これらに限定されないが、不揮発性メモリのポート、ＵＳＢ（Ｕｎｉｖｅｒｓａｌ  Ｓｅｒｉａｌ  Ｂｕｓ）のポート、オーディオジャック、及び電力供給用インタフェースを含むものとしてもよい。
【００６４】
様々な実施形態において、センサ５２８は、システム５００に関する環境条件及び／または位置情報を判定するための１つまたは複数の検知デバイスを含むものとしてもよい。幾つかの実施形態において、センサは、これらに限定されないが、ジャイロセンサ、加速度計、近接センサ、環境光センサ、及び位置決めデバイスを含むものとしてもよい。位置決めデバイスはまた、例えば、ＧＰＳ（Ｇｌｏｂａｌ  Ｐｏｓｉｔｉｏｎｉｎｇ  Ｓｙｓｔｅｍ）衛星等の位置決めネットワークの構成要素と通信するためのベースバンド回路５０８及び／またはＲＦ回路５０４の一部であってもよいし、または、これと相互作用するものとしてもよい。
【００６５】
様々な実施形態において、表示装置５２０は、例えば、液晶表示装置、タッチスクリーン表示装置等の表示装置を含むものとしてもよい。幾つかの実施形態において、カメラ５２４は、可変分散及び屈折率を有して構成される多くの成型プラスチック非球面レンズ素子を含むものとしてもよい。幾つかの実施形態において、カメラ５２４は、立体写真のための３次元画像を取り込むための２つ以上のレンズを含むものとしてもよい。
【００６６】
様々な実施形態において、システム５００は、これらに限らないが、例えば、ラップトップ型演算デバイス、タブレット型演算デバイス、ネットブック型パソコン、ウルトラブック型パソコン、スマートフォン等の移動演算デバイス（モバイルコンピューティングデバイス）であってもよい。様々な実施形態において、システム５００は、より多くの若しくはより少ない構成要素、及び／または、異なる構造を有するものとしてもよい。
【００６７】
図６は、様々な実施形態に係る、本願開示の態様を具現化する、プログラム命令を有する製品６１０を例示する。様々な実施形態において、製品は、本願開示の様々な実施形態を実施するために、使用されるものとしてもよい。図示される様に、製品６１０は、命令６３０が、本明細書に記載された処理の何れか１つの実施形態または実施形態の態様を実施する様に構成されるものとしてもよい、コンピュータ読み取り可能な非一時的格納媒体６２０を含むものとしてもよい。格納媒体６２０は、これらに限らないが、フラッシュメモリ、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、光ディスク、磁気ディスク等を含む、当該技術分野で周知の様な広範囲な持続性記憶媒体を表すものとしてもよい。実施形態において、コンピュータ読み取り可能な格納媒体６２０は、１つまたは複数のコンピュータ読み取り可能な非一時的格納媒体を含むものとしてもよい。他の実施形態において、コンピュータ読み取り可能な格納媒体６２０は、命令６３０により符号化された、一時的な、例えば信号等であってもよい。
【００６８】
様々な実施形態において、命令６３０は、装置が、該装置による実行に応答して、本明細書に記載された様々な動作を実行することを可能とするものとしてもよい。一つの例として、格納媒体６２０は、装置、例えば図２に関連したＵＥ２２０に、例えば、図３のＵＥ‐ＵＥ間中継検出処理及び通信処理３００または図４のＵＥ‐ＵＥ間中継検出処理及び通信処理４００に例示される様な、本願開示の実施形態に従った公的安全ＵＥ‐ＵＥ間中継検出及び／または通信を可能とする幾つかの態様を実施させる様に構成された命令６３０を含むものとしてもよい。
【００６９】
以下の段落では、様々な実施形態の実施例について説明する。
【００７０】
実施例１は、命令を有する１つまたは複数の記憶媒体、及び、装置が、デバイス‐デバイスデバイス間（Ｄ２Ｄ）通信を用いて通信可能なユーザ機器（ＵＥ）のリストを決定し、上記装置が、該リストの少なくとも一部に基づいて中継の役割を果たすことができることを示す通知メッセージを生成し、該通知メッセージの少なくとも一部に基づいて信号を生成すると共に、該信号を送信するための送受信機回路を制御する命令を実行するための、１つまたは複数の記憶媒体に接続された処理回路を備える、無線通信のための装置を含むものとしてもよい。
【００７１】
実施例２は、実施例１の主題を含み、上記通知メッセージは、Ｄ２Ｄ通信の範囲内にあるＵＥのリストを含むものとしてもよい。
【００７２】
実施例３は、実施例２の主題を含み、上記通知メッセージは、レイヤ２の識別子、及び、上記リスト内の個別のＵＥと関連付けられたユーザ情報パラメータを含むものとしてもよい。
【００７３】
実施例４は、実施例２、３のうち何れか１つの主題を含み、上記処理回路は更に、ＵＥのリスト内のＵＥから受信されたフレームの少なくとも一部に基づき、中継フレームを生成するものとしてもよい。
【００７４】
実施例５は、実施例４の主題を含み、上記ＵＥから受信された上記フレームは、送信元レイヤ２ＩＤフィールド、送信先レイヤ２ＩＤフィールド、中継レイヤ２ＩＤフィールド、及び、「中継へ」に設定された方向フィールドを含むものとしてもよい。
【００７５】
実施例６は、実施例４の主題を含み、上記中継フレームは、送信元レイヤ２ＩＤフィールド、送信先レイヤ２ＩＤフィールド、中継レイヤ２ＩＤフィールド、及び、「中継から」に設定された方向フィールドを含むものとしてもよい。
【００７６】
実施例７は、命令を有する１つまたは複数の記憶媒体、並びに、上記ＵＥが、デバイス‐デバイス間（Ｄ２Ｄ）通信を用いて通信可能な他のＵＥのリストを決定し、ＵＥ‐ＵＥ間中継検出に設定された検出タイプパラメータ、及び、上記ＵＥが、Ｄ２Ｄ通信を用いて通信可能な別のＵＥに対応するパラメータを含むメッセージを生成し、該メッセージの少なくとも一部に基づいて信号を生成すると共に、該信号を送信するための送受信機回路を制御する命令を実行するための、１つまたは複数の記憶媒体に接続された処理回路を備える、ユーザ機器（ＵＥ）を含むものとしてもよい。
【００７７】
実施例８は、実施例７の主題を含み、上記メッセージは通知メッセージであってもよい。
【００７８】
実施例９は、実施例７の主題を含み、上記メッセージは、上記ＵＥがＤ２Ｄ通信を用いて通信可能な他のＵＥの１つである送信側ＵＥから受信された勧誘メッセージに応答して生成された応答メッセージであってもよい。
【００７９】
実施例１０は、実施例９の主題を含み、上記応答メッセージは、リモートユーザ情報パラメータを含むものとしてもよい。
【００８０】
実施例１１は、実施例１０の主題を含み、上記応答メッセージは、上記リモートユーザ情報パラメータと関連付けられた遠隔ＵＥレイヤ２識別子を含むものとしてもよい。
【００８１】
実施例１２は、実施例１１の主題を含み、上記遠隔ＵＥレイヤ２識別子は、上記ＵＥがＤ２Ｄ通信を用いて通信可能な他のＵＥのリスト内のＵＥと関連付けられると共に、上記応答メッセージもまた、上記ＵＥのレイヤ２識別子を含むものとしてもよい。
【００８２】
実施例１３は、実施例７〜１２のうち何れか１つの主題を含み、上記処理回路は更に、送信側ＵＥから受信されたフレームの少なくとも一部に基づき、中継フレームを生成し、上記送信側ＵＥは、上記ＵＥがＤ２Ｄ通信を用いて通信可能な他のＵＥのリスト内にあるものとしてもよい。
【００８３】
実施例１４は、ユーザ機器（ＵＥ）の１つまたは複数のプロセッサによる命令の実行に応答して、上記ＵＥに、上記ＵＥがデバイス‐デバイス間（Ｄ２Ｄ）通信を用いて通信可能な少なくとも１つの他のＵＥを検出するためのグループメンバ検出を実行させると共に、遠隔ＵＥとの通信のための潜在的な中継ＵＥを検出させ、上記潜在的な中継ＵＥは、少なくとも１つの他のＵＥのうちの１つである、その上に格納された命令を備える、少なくとも１つのコンピュータ読み取り可能な媒体を含むものとしてもよい。
【００８４】
実施例１５は、実施例１４の主題を含み、上記ＵＥは、上記潜在的な中継ＵＥからの通知メッセージの少なくとも一部の受信に基づき、上記潜在的な中継ＵＥを検出させられるものとしてもよい。
【００８５】
実施例１６は、実施例１５の主題を含み、上記通知メッセージは、上記潜在的な中継ＵＥに対応する識別子、及びリモートユーザ情報パラメータを含むものとしてもよい。
【００８６】
実施例１７は、実施例１４の主題を含み、上記ＵＥは更に、勧誘メッセージを送信させられると共に、上記ＵＥは、上記潜在的な中継ＵＥからの勧誘メッセージへの応答の少なくとも一部の受信に基づき、上記潜在的な中継ＵＥを検出させられるものとしてもよい。
【００８７】
実施例１８は、実施例１７の主題を含み、上記勧誘メッセージは、上記ＵＥに対応する識別子、及びリモートユーザ情報パラメータを含むものとしてもよい。
【００８８】
実施例１９は、実施例１７〜１８のうち何れか１つの主題を含み、上記勧誘メッセージは、複数のリモートユーザ情報パラメータを含むものとしてもよい。
【００８９】
実施例２０は、実施例１７〜１９のうち何れか１つの主題を含み、上記勧誘メッセージは、ＵＥ‐ＵＥ間中継検出に設定された検出タイプパラメータを含むものとしてもよい。
【００９０】
実施例２１は、実施例１４〜２０のうち何れか１つの主題を含み、上記ＵＥは更に、デバイス‐デバイス間のＭＡＣフレームを上記潜在的な中継ＵＥへ送信し、上記ＭＡＣフレームは、「中継へ」に設定された方向フィールドを有するヘッダを含むものとしてもよい。
【００９１】
実施例２２は、ユーザ機器（ＵＥ）の１つまたは複数のプロセッサによる命令の実行に応答して、上記ＵＥに、上記ＵＥがデバイス‐デバイス間（Ｄ２Ｄ）通信を用いて通信可能な複数の他のＵＥを検出するためのグループメンバ検出処理を実行させると共に、送信側ＵＥ及び遠隔ＵＥ間の通信のための中継ＵＥとして動作させ、上記送信側ＵＥ及び上記遠隔ＵＥは、検出された複数の他のＵＥの一部である、その上に格納された命令を備える、少なくとも１つのコンピュータ読み取り可能な媒体を含むものとしてもよい。
【００９２】
実施例２３は、実施例２２の主題を含み、上記ＵＥは、レイヤ２の転送処理を実行することにより、中継ＵＥとして動作するものとしてもよい。
【００９３】
実施例２４は、実施例２２〜２３のうち何れか１つの主題を含み、上記ＵＥは更に、ＵＥ‐ＵＥ間中継検出に設定された検出タイプパラメータを含む通知メッセージを送信させられ、上記ＵＥは、ＭＡＣフレームが中継に送信されていることを示す方向パラメータを含む、上記送信側ＵＥからの拡張ＭＡＣヘッダの受信を以って、上記通知メッセージの送信後に、中継ＵＥとして動作するものとしてもよい。
【００９４】
実施例２５は、実施例２２〜２４のうち何れか１つの主題を含み、上記ＵＥは更に、検出された複数の他のＵＥの１つと関連付けられたユーザに対応するリモートユーザ情報パラメータを含む、別のＵＥからの勧誘メッセージの受信に応答して、応答メッセージを送信させられ、上記ＵＥは、ＭＡＣフレームが中継に送信されていることを示す方向パラメータを含む、上記送信側ＵＥからの拡張ＭＡＣヘッダの受信を以って、上記応答メッセージの送信後に、中継ＵＥとして動作するものとしてもよい。
【００９５】
実施例２６は、装置が、デバイス‐デバイス間（Ｄ２Ｄ）通信を用いて通信可能なユーザ機器（ＵＥ）のリストを決定すること、上記装置が、該リストの少なくとも一部に基づいて中継の役割を果たすことができることを示す通知メッセージを生成すること、該通知メッセージの少なくとも一部に基づいて信号を生成すること、及び、該信号を送信するための送受信機回路を制御することを含む無線通信の方法を含むものとしてもよい。
【００９６】
実施例２７は、実施例２６の主題を含み、上記通知メッセージは、Ｄ２Ｄ通信の範囲内にあるＵＥのリストを含むものとしてもよい。
【００９７】
実施例２８は、実施例２７の主題を含み、上記通知メッセージは、レイヤ２の識別子、及び、上記リスト内の個別のＵＥと関連付けられたユーザ情報パラメータを含むものとしてもよい。
【００９８】
実施例２９は、実施例２７〜２８のうち何れか１つの主題を含み、ＵＥのリスト内のＵＥから受信されたフレームの少なくとも一部に基づき、中継フレームを生成することを更に備えるものとしてもよい。
【００９９】
実施例３０は、実施例２９の主題を含み、上記ＵＥから受信された上記フレームは、送信元レイヤ２ＩＤフィールド、送信先レイヤ２ＩＤフィールド、中継レイヤ２ＩＤフィールド、及び、「中継へ」に設定された方向フィールドを含むものとしてもよい。
【０１００】
実施例３１は、実施例２９の主題を含み、上記中継フレームは、送信元レイヤ２ＩＤフィールド、送信先レイヤ２ＩＤフィールド、中継レイヤ２ＩＤフィールド、及び、「中継から」に設定された方向フィールドを含むものとしてもよい。
【０１０１】
実施例３２は、上記ＵＥが、デバイス‐デバイス間（Ｄ２Ｄ）通信を用いて通信可能な他のＵＥのリストを決定すること、ＵＥ‐ＵＥ間中継検出に設定された検出タイプパラメータ、及び、上記ＵＥが、Ｄ２Ｄ通信を用いて通信可能な別のＵＥに対応するパラメータを有するメッセージを生成すること、メッセージの少なくとも一部に基づいて信号を生成すること、並びに、該信号を送信するための送受信機回路を制御することを備える、ユーザ機器（ＵＥ）と通信する方法を含むものとしてもよい。
【０１０２】
実施例３３は、実施例３２の主題を含み、上記メッセージは通知メッセージであってもよい。
【０１０３】
実施例３４は、実施例３２の主題を含み、上記メッセージは、上記ＵＥがＤ２Ｄ通信を用いて通信可能な他のＵＥの１つである送信側ＵＥから受信された勧誘メッセージに応答して生成された応答メッセージであってもよい。
【０１０４】
実施例３５は、実施例３４の主題を含み、上記応答メッセージは、リモートユーザ情報パラメータを含むものとしてもよい。
【０１０５】
実施例３６は、実施例３５の主題を含み、上記応答メッセージは、上記リモートユーザ情報パラメータと関連付けられた遠隔ＵＥレイヤ２識別子を含むものとしてもよい。
【０１０６】
実施例３７は、実施例３６の主題を含み、上記遠隔ＵＥレイヤ２識別子は、上記ＵＥがＤ２Ｄ通信を用いて通信可能な他のＵＥのリスト内のＵＥと関連付けられると共に、上記応答メッセージもまた、上記ＵＥのレイヤ２識別子を含むものとしてもよい。
【０１０７】
実施例３８は、実施例３２〜３７のうち何れか１つの主題を含み、送信側ＵＥから受信されたフレームの少なくとも一部に基づき、中継フレームを生成することを更に備え、上記送信側ＵＥは、上記ＵＥがＤ２Ｄ通信を用いて通信可能な他のＵＥのリスト内にあるものとしてもよい。
【０１０８】
実施例３９は、ＵＥがデバイス‐デバイス間（Ｄ２Ｄ）通信を用いて通信可能な少なくとも１つの他のＵＥを検出するためのグループメンバ検出を実行すること、及び、遠隔ＵＥとの通信のための潜在的な中継ＵＥを検出することを含み、上記潜在的な中継ＵＥは、少なくとも１つの他のＵＥのうちの１つである、無線通信の方法を含むものとしてもよい。
【０１０９】
実施例４０は、実施例３９の主題を含み、上記潜在的な中継ＵＥを検出することは、上記潜在的な中継ＵＥからの通知メッセージの少なくとも一部の受信に基づくものとしてもよい。
【０１１０】
実施例４１は、実施例４０の主題を含み、上記通知メッセージは、上記潜在的な中継ＵＥに対応する識別子、及びリモートユーザ情報パラメータを含むものとしてもよい。
【０１１１】
実施例４２は、実施例３９の主題を含み、勧誘メッセージを送信することを更に含み、上記潜在的な中継ＵＥを検出することは、上記潜在的な中継ＵＥからの勧誘メッセージへの応答の少なくとも一部の受信に基づくものとしてもよい。
【０１１２】
実施例４３は、装置が、デバイス‐デバイス間（Ｄ２Ｄ）通信を用いて通信可能なユーザ機器（ＵＥ）のリストを決定するための手段、上記装置が、該リストの少なくとも一部に基づいて中継の役割を果たすことができることを示す通知メッセージを生成するための手段、該通知メッセージの少なくとも一部に基づいて信号を生成するための手段、及び、該信号を送信するための送受信機回路を制御するための手段を備える、無線通信のための装置を含むものとしてもよい。
【０１１３】
実施例４４は、実施例４３の主題を含み、上記通知メッセージは、Ｄ２Ｄ通信の範囲内にあるＵＥのリストを含むものとしてもよい。
【０１１４】
実施例４５は、実施例４４の主題を含み、上記通知メッセージは、レイヤ２の識別子、及び、上記リスト内の個別のＵＥと関連付けられたユーザ情報パラメータを含むものとしてもよい。
【０１１５】
実施例４６は、実施例４４、４５のうち何れか１つの主題を含み、ＵＥのリスト内のＵＥから受信されたフレームの少なくとも一部に基づき、中継フレームを生成するための手段を更に備えるものとしてもよい。
【０１１６】
実施例４７は、実施例４６の主題を含み、上記ＵＥから受信された上記フレームは、送信元レイヤ２ＩＤフィールド、送信先レイヤ２ＩＤフィールド、中継レイヤ２ＩＤフィールド、及び、「中継へ」に設定された方向フィールドを含むものとしてもよい。
【０１１７】
実施例４８は、実施例４６の主題を含み、上記中継フレームは、送信元レイヤ２ＩＤフィールド、送信先レイヤ２ＩＤフィールド、中継レイヤ２ＩＤフィールド、及び、「中継から」に設定された方向フィールドを含むものとしてもよい。
【０１１８】
実施例４９は、上記ＵＥが、デバイス‐デバイス間（Ｄ２Ｄ）通信を用いて通信可能な他のＵＥのリストを決定するための手段、ＵＥ‐ＵＥ間中継検出に設定された検出タイプパラメータ、及び、上記ＵＥが、Ｄ２Ｄ通信を用いて通信可能な別のＵＥに対応するパラメータを有するメッセージを生成するための手段、メッセージの少なくとも一部に基づいて信号を生成するための手段、並びに、該信号を送信するための送受信機回路を制御するための手段を備える、ユーザ機器（ＵＥ）を含むものとしてもよい。
【０１１９】
実施例５０は、実施例４９の主題を含み、上記メッセージは通知メッセージであってもよい。
【０１２０】
実施例５１は、実施例４９の主題を含み、上記メッセージは、上記ＵＥがＤ２Ｄ通信を用いて通信可能な他のＵＥの１つである送信側ＵＥから受信された勧誘メッセージに応答して生成された応答メッセージであってもよい。
【０１２１】
実施例５２は、実施例５１の主題を含み、上記応答メッセージは、リモートユーザ情報パラメータを含むものとしてもよい。
【０１２２】
実施例５３は、実施例５２の主題を含み、上記応答メッセージは、上記リモートユーザ情報パラメータと関連付けられた遠隔ＵＥレイヤ２識別子を含むものとしてもよい。
【０１２３】
実施例５４は、実施例５３の主題を含み、上記遠隔ＵＥレイヤ２識別子は、上記ＵＥがＤ２Ｄ通信を用いて通信可能な他のＵＥのリスト内のＵＥと関連付けられると共に、上記応答メッセージもまた、上記ＵＥのレイヤ２識別子を含むものとしてもよい。
【０１２４】
実施例５５は、実施例４９〜５４のうち何れか１つの主題を含み、送信側ＵＥから受信されたフレームの少なくとも一部に基づき、中継フレームを生成するための手段を更に備え、上記送信側ＵＥは、上記ＵＥがＤ２Ｄ通信を用いて通信可能な他のＵＥのリスト内にあるものとしてもよい。
【０１２５】
実施例５６は、ＵＥがデバイス‐デバイス間（Ｄ２Ｄ）通信を用いて通信可能な少なくとも１つの他のＵＥを検出するためのグループメンバ検出を実行するための手段、及び、遠隔ＵＥとの通信のための潜在的な中継ＵＥを検出するための手段を備え、上記潜在的な中継ＵＥは、少なくとも１つの他のＵＥのうちの１つである、無線通信のための装置を含むものとしてもよい。
【０１２６】
実施例５７は、実施例５６の主題を含み、上記潜在的な中継ＵＥを検出するための手段は、上記潜在的な中継ＵＥからの通知メッセージの少なくとも一部の受信に基づき、上記潜在的な中継ＵＥを検出するものとしてもよい。
【０１２７】
実施例５８は、実施例５７の主題を含み、上記通知メッセージは、上記潜在的な中継ＵＥに対応する識別子、及びリモートユーザ情報パラメータを含むものとしてもよい。
【０１２８】
実施例５９は、実施例５６の主題を含み、勧誘メッセージを送信することを更に備え、上記潜在的な中継ＵＥを検出することは、上記潜在的な中継ＵＥからの勧誘メッセージへの応答の少なくとも一部の受信に基づくものとしてもよい。
【０１２９】
実施例６０は、命令を有する１つまたは複数の記憶媒体、並びに、ＵＥが、デバイス‐デバイス間（Ｄ２Ｄ）通信を用いて通信可能な他のＵＥのリストを決定し、ＵＥ‐ＵＥ間中継検出に設定された検出タイプパラメータ、及び、上記ＵＥが、Ｄ２Ｄ通信を用いて通信可能な別のＵＥに対応するパラメータを有するメッセージを生成し、該メッセージの少なくとも一部に基づいて信号を生成すると共に、該信号を送信するための送受信機回路を制御する命令を実行するための、１つまたは複数の記憶媒体に接続された処理回路を備える、システムを含むものとしてもよい。
【０１３０】
実施例６１は、実施例６０の主題を含み、上記メッセージは通知メッセージであってもよい。
【０１３１】
実施例６２は、実施例６０の主題を含み、上記メッセージは、上記ＵＥがＤ２Ｄ通信を用いて通信可能な他のＵＥの１つである送信側ＵＥから受信された勧誘メッセージに応答して生成された応答メッセージであってもよい。
【０１３２】
実施例６３は、実施例６２の主題を含み、上記応答メッセージは、リモートユーザ情報パラメータを含むものとしてもよい。
【０１３３】
実施例６４は、実施例６３の主題を含み、上記応答メッセージは、上記リモートユーザ情報パラメータと関連付けられた遠隔ＵＥレイヤ２識別子を含むものとしてもよい。
【０１３４】
実施例６５は、実施例６４の主題を含み、上記遠隔ＵＥレイヤ２識別子は、上記ＵＥがＤ２Ｄ通信を用いて通信可能な他のＵＥのリスト内のＵＥと関連付けられると共に、上記応答メッセージもまた、上記ＵＥのレイヤ２識別子を含むものとしてもよい。
【０１３５】
実施例６６は、実施例６０〜６５のうち何れか１つの主題を含み、上記処理回路は更に、送信側ＵＥから受信されたフレームの少なくとも一部に基づき、中継フレームを生成し、上記送信側ＵＥは、上記ＵＥがＤ２Ｄ通信を用いて通信可能な他のＵＥのリスト内にあるものとしてもよい。
【０１３６】
実施例６７は、電子デバイスの１つまたは複数のプロセッサによる命令の実行を以って、電子デバイスに、実施例２６〜６６の何れかに関する若しくは関して記載された方法または処理、あるいは、本明細書に記載された何れかの他の方法または処理の、１つまたは複数の要素を実行させる命令を備える、１つまたは複数のコンピュータ読み取り可能な非一時的媒体を含むものとしてもよい。
【０１３７】
要約書に記載された事を含む、例示された実施内容の本明細書における記載は、網羅的であること、または、本願開示を、開示された詳細な形態に限定することを意図するものではない。特定の実施内容及び実施例が、例示目的のために本明細書に記載されているが、同一の目的を達成するために想定される多様な、代替及び／または同等の実施形態あるいは実施内容が、当業者が認識するであろう上述した詳細な説明を考慮して、本願開示を逸脱することのない範囲で、形成可能である。
【図１】
2018507574.tif 000003
【図２】
2018507574.tif 000004
【図３】
2018507574.tif 000005
【図４】
2018507574.tif 000006
【図５】
2018507574.tif 000007
【図６】
2018507574.tif 000008
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
命令を有する１つまたは複数の記憶媒体、及び、
装置が、デバイス‐デバイス間（Ｄ２Ｄ）通信を用いて通信可能なユーザ機器（ＵＥ）のリストを決定し、
前記装置が、該リストの少なくとも一部に基づいて中継の役割を果たすことができることを示す通知メッセージを生成し、
該通知メッセージの少なくとも一部に基づいて信号を生成すると共に、該信号を送信するための送受信機回路を制御する
命令を実行するための、１つまたは複数の記憶媒体に接続された処理回路
を備える、無線通信のための装置。
【請求項２】
前記通知メッセージは、Ｄ２Ｄ通信の範囲内にあるＵＥのリストを含む、請求項１に記載の装置。
【請求項３】
前記通知メッセージは、レイヤ２の識別子、及び、前記リスト内の個別のＵＥと関連付けられたユーザ情報パラメータを含む、請求項２に記載の装置。
【請求項４】
前記処理回路は更に、ＵＥの前記リスト内のＵＥから受信されたフレームの少なくとも一部に基づき、中継フレームを生成する、請求項２または３に記載の装置。
【請求項５】
前記ＵＥから受信された前記フレームは、送信元レイヤ２ＩＤフィールド、送信先レイヤ２ＩＤフィールド、中継レイヤ２ＩＤフィールド、及び、「中継へ」に設定された方向フィールドを含む、請求項４に記載の装置。
【請求項６】
前記中継フレームは、送信元レイヤ２ＩＤフィールド、送信先レイヤ２ＩＤフィールド、中継レイヤ２ＩＤフィールド、及び、「中継から」に設定された方向フィールドを含む、請求項４に記載の装置。
【請求項７】
命令を有する１つまたは複数の記憶媒体、並びに、
ＵＥが、デバイス‐デバイス間（Ｄ２Ｄ）通信を用いて通信可能な他のＵＥのリストを決定し、
ＵＥ‐ＵＥ間中継検出に設定された検出タイプパラメータ、及び、前記ＵＥが、Ｄ２Ｄ通信を用いて通信可能な別のＵＥに対応するパラメータを有するメッセージを生成し、
該メッセージの少なくとも一部に基づいて信号を生成すると共に、該信号を送信するための送受信機回路を制御する
命令を実行するための、１つまたは複数の記憶媒体に接続された処理回路
を備える、ユーザ機器（ＵＥ）。
【請求項８】
前記メッセージは通知メッセージである、請求項７に記載のＵＥ。
【請求項９】
前記メッセージは、前記ＵＥがＤ２Ｄ通信を用いて通信可能な他のＵＥの１つである送信側ＵＥから受信された勧誘メッセージに応答して生成された応答メッセージである、請求項７に記載のＵＥ。
【請求項１０】
前記応答メッセージは、リモートユーザ情報パラメータを含む、請求項９に記載のＵＥ。
【請求項１１】
前記応答メッセージは、前記リモートユーザ情報パラメータと関連付けられた遠隔ＵＥレイヤ２識別子を含む、請求項１０に記載のＵＥ。
【請求項１２】
前記遠隔ＵＥレイヤ２識別子は、前記ＵＥがＤ２Ｄ通信を用いて通信可能な他のＵＥの前記リスト内のＵＥと関連付けられると共に、前記応答メッセージもまた、前記ＵＥのレイヤ２識別子を含む、請求項１１に記載のＵＥ。
【請求項１３】
前記処理回路は更に、送信側ＵＥから受信されたフレームの少なくとも一部に基づき、中継フレームを生成し、前記送信側ＵＥは、前記ＵＥがＤ２Ｄ通信を用いて通信可能な他のＵＥの前記リスト内にある、請求項７〜１２のうち、何れか一項に記載のＵＥ。
【請求項１４】
ユーザ機器（ＵＥ）の１つまたは複数のプロセッサによる実行に応答して、前記ＵＥに、
前記ＵＥがデバイス‐デバイス間（Ｄ２Ｄ）通信を用いて通信可能な少なくとも１つの他のＵＥを検出するためのグループメンバ検出を実行させ、
遠隔ＵＥとの通信のための潜在的な中継ＵＥを検出させ、前記潜在的な中継ＵＥは、少なくとも１つの他のＵＥのうちの１つである、
コンピュータプログラム。
【請求項１５】
前記ＵＥは、前記潜在的な中継ＵＥからの通知メッセージの少なくとも一部の受信に基づき、前記潜在的な中継ＵＥを検出させられる、請求項１４に記載のコンピュータプログラム。
【請求項１６】
前記通知メッセージは、前記潜在的な中継ＵＥに対応する識別子、及びリモートユーザ情報パラメータを含む、請求項１５に記載のコンピュータプログラム。
【請求項１７】
前記ＵＥは更に、勧誘メッセージを送信させられると共に、前記ＵＥは、前記潜在的な中継ＵＥからの前記勧誘メッセージへの応答の少なくとも一部の受信に基づき、前記潜在的な中継ＵＥを検出させられる、請求項１４に記載のコンピュータプログラム。
【請求項１８】
前記勧誘メッセージは、前記ＵＥに対応する識別子、及びリモートユーザ情報パラメータを含む、請求項１７に記載のコンピュータプログラム。
【請求項１９】
前記勧誘メッセージは、複数のリモートユーザ情報パラメータを含む、請求項１８に記載のコンピュータプログラム。
【請求項２０】
前記勧誘メッセージは、ＵＥ‐ＵＥ間中継検出に設定された検出タイプパラメータを含む、請求項１７〜１９のうち、何れか一項に記載のコンピュータプログラム。
【請求項２１】
前記ＵＥは更に、デバイス‐デバイス間のＭＡＣフレームを前記潜在的な中継ＵＥへ送信し、前記ＭＡＣフレームは、「中継へ」に設定された方向フィールドを有するヘッダを含む、請求項１４〜１９のうち、何れか一項に記載のコンピュータプログラム。
【請求項２２】
ユーザ機器（ＵＥ）の１つまたは複数のプロセッサによる実行に応答して、前記ＵＥに、
前記ＵＥがデバイス‐デバイス間（Ｄ２Ｄ）通信を用いて通信可能な複数の他のＵＥを検出するためのグループメンバ検出を実行させ、
送信側ＵＥ及び遠隔ＵＥ間の通信のための中継ＵＥとして動作させ、前記送信側ＵＥ及び前記遠隔ＵＥは、検出された複数の他のＵＥの一部である、
コンピュータプログラム。
【請求項２３】
前記ＵＥは、レイヤ２の転送処理を実行することにより、中継ＵＥとして動作する、請求項２２に記載のコンピュータプログラム。
【請求項２４】
前記ＵＥは更に、ＵＥ‐ＵＥ間中継検出に設定された検出タイプパラメータを含む通知メッセージを送信させられ、前記ＵＥは、ＭＡＣフレームが中継に送信されていることを示す方向パラメータを含む、前記送信側ＵＥからの拡張ＭＡＣヘッダの受信を以って、前記通知メッセージの送信後に、中継ＵＥとして動作する、請求項２２または２３に記載のコンピュータプログラム。
【請求項２５】
前記ＵＥは更に、検出された複数の他のＵＥの１つと関連付けられたユーザに対応するリモートユーザ情報パラメータを含む、別のＵＥからの勧誘メッセージの受信に応答して、応答メッセージを送信させられ、前記ＵＥは、ＭＡＣフレームが中継に送信されていることを示す方向パラメータを含む、前記送信側ＵＥからの拡張ＭＡＣヘッダの受信を以って、前記応答メッセージの送信後に、中継ＵＥとして動作する、請求項２２または２３に記載のコンピュータプログラム。
【請求項２６】
請求項１４から２５のうち何れか一項に記載のコンピュータプログラムを格納する、コンピュータ可読記録媒体。
【国際調査報告】
2018507574.tif 000009
2018507574.tif 000010
2018507574.tif 000011